(57)【特許請求の範囲】
【請求項１】
使用済みの内視鏡にリプロセス処理を施す複数のリプロセス装置の処理履歴を管理する内視鏡リプロセス装置の履歴管理システムにおいて、
前記内視鏡に設けられたアクティブ型の第１ＲＦＩＤタグから、前記内視鏡のＩＤ情報を読み取る少なくとも３つのタグリーダと、
前記タグリーダによる前記内視鏡のＩＤ情報の読取結果に基づいて、前記内視鏡の位置を検出する位置検出手段と、
前記位置検出手段の位置検出結果に基づいて、前記内視鏡が投入された前記リプロセス装置を特定するリプロセス装置特定手段と、
前記リプロセス装置特定手段により特定された前記リプロセス装置から前記処理履歴を取得する取得方式を判定する取得方式判定手段と、
前記取得方式判定手段により判定された取得方式で、前記リプロセス装置から前記処理履歴を取得する履歴取得手段とを備えることを特徴とする内視鏡リプロセス装置の履歴管理システム。
【請求項２】
前記取得方式判定手段は、前記リプロセス装置毎の取得方式に関する情報を予め記憶した取得方式テーブルを参照して、取得方式の判定を行うことを特徴とする請求項１記載の内視鏡リプロセス装置の履歴管理システム。
【請求項３】
前記履歴取得手段が取得した前記各リプロセス装置の前記処理履歴を、統一した記録フォーマットに変換する記録フォーマット変換手段を備えることを特徴とする請求項１または２記載の内視鏡リプロセス装置の履歴管理システム。
【請求項４】
前記取得方式には、前記リプロセス装置のＩＤ情報を記憶するアクティブ型の第２ＲＦＩＤタグを有するリプロセス装置から、前記第２ＲＦＩＤタグ及び前記タグリーダを通じて前記処理履歴を取得する、第１取得方式が含まれることを特徴とする請求項１ないし３いずれか１項記載の内視鏡リプロセス装置の履歴管理システム。
【請求項５】
前記第１取得方式では、前記リプロセス装置の処理槽に給排液される液体の給排液状態が前記第２ＲＦＩＤタグに記録され、前記タグリーダが前記給排液状態を読み取ることにより、前記リプロセス装置の処理履歴が取得されることを特徴とする請求項４記載の内視鏡リプロセス装置の履歴管理システム。
【請求項６】
前記取得方式には、前記第１ＲＦＩＤタグと前記タグリーダとの通信により、前記処理履歴を取得する第２取得方式が含まれることを特徴とする請求項１ないし５いずれか１項記載の内視鏡リプロセス装置の履歴管理システム。
【請求項７】
前記第２取得方式では、前記第１ＲＦＩＤタグと前記タグリーダとの通信を監視し、前記処理槽内で前記第１ＲＦＩＤタグが前記液体に浸漬されたときに前記タグリーダとの通信が不能になることを利用して、前記液体の給排液状態を検知することにより、前記処理履歴が取得されることを特徴とする請求項６記載の内視鏡リプロセス装置の履歴管理システム。
【請求項８】
前記取得方式には、前記タグリーダを経由せずに、前記リプロセス装置と通信を行って、前記リプロセス装置が記録した前記処理履歴を取得する第３取得方式が含まれることを特徴とする請求項１ないし７いずれか１項記載の内視鏡リプロセス装置の履歴管理システム。
【発明の詳細な説明】
【技術分野】
【０００１】
本発明は、内視鏡にリプロセス処理を施す複数のリプロセス装置の処理履歴を管理する内視鏡リプロセス装置の履歴管理システムに関するものである。
【背景技術】
【０００２】
医療機関では、内視鏡を利用した医療診断が盛んに行われている。医療診断で使用された内視鏡は、病気の感染を防ぐために内視鏡用のリプロセス装置、例えば洗浄装置によって洗浄処理が施される。
【０００３】
洗浄装置を用いて洗浄処理を行った際には、どの内視鏡が、いつ、どの洗浄装置で洗浄処理されたのかという洗浄処理の履歴を把握するために、洗浄処理の履歴情報の記録・管理を行っている。例えば特許文献１記載の洗浄履歴管理システムでは、内視鏡、オペレータ、リプロセス装置にそれぞれパッシブ型のＲＦＩＤタグ（パッシブタグ）を設けて、リプロセス装置に設置したタグリーダによって、内視鏡ＩＤ、リプロセス装置ＩＤを取得して、洗浄履歴を管理している。
【特許文献１】特開２００１−３２７４５９号公報（特許第３８５４０３５号公報）
【発明の開示】
【発明が解決しようとする課題】
【０００４】
ところで、上記特許文献１に記載されている管理システムを用いて、複数の洗浄装置の洗浄履歴を一括で管理する場合には、洗浄装置とそこに投入された内視鏡とを確実に特定するために、各洗浄装置にそれぞれタグリーダを設ける必要がある。このため、洗浄履歴管理システムの構成が複雑化して、システムが高コスト化してしまうおそれがある。
【０００５】
また、洗浄装置の機種は多数存在しており、それぞれの機種によって履歴情報を出力する機能の有無や、履歴出力方式が異なっている。上記特許文献１記載の管理システムは、履歴情報を出力する機能を有する洗浄装置を前提として履歴管理を行うものであり、そうした機能を持たない洗浄装置の履歴を管理するためには、洗浄装置に大掛かりな改造を加えなければならず、多大なコスト負担が生じる。また、洗浄装置によっては改造が不可能な機種もあり、その場合には上記管理システムで管理することはできない。医療現場においては、機種が異なる複数の洗浄装置が混在するケースも多く、それらの履歴を、コスト負担を少なく行う対策が要望されていた。
【０００６】
本発明は上記問題を解決するためになされたものであり、機種が異なる複数のリプロセス装置の処理履歴を低コストで管理することができる内視鏡リプロセス装置の履歴管理システムを提供することを目的とする。
【課題を解決するための手段】
【０００７】
上記問題を解決するため、本発明は、使用済みの内視鏡にリプロセス処理を施す複数のリプロセス装置の処理履歴を管理する内視鏡リプロセス装置の履歴管理システムにおいて、前記内視鏡に設けられたアクティブ型の第１ＲＦＩＤタグから、前記内視鏡のＩＤ情報を読み取る少なくとも３つのタグリーダと、前記タグリーダによる前記内視鏡のＩＤ情報の読取結果に基づいて、前記内視鏡の位置を検出する位置検出手段と、前記位置検出手段の位置検出結果に基づいて、前記内視鏡が投入された前記リプロセス装置を特定するリプロセス装置特定手段と、前記リプロセス装置特定手段により特定された前記リプロセス装置から前記処理履歴を取得する取得方式を判定する取得方式判定手段と、前記取得方式判定手段により判定された取得方式で、前記リプロセス装置から前記処理履歴を取得する履歴取得手段とを備えることを特徴とする。なお、リプロセス処理とは、使用済みの内視鏡を再使用可能な状態にするための処理であり、洗浄処理、消毒処理、滅菌処理の少なくともいずれか一つを含む。
【０００８】
前記取得方式判定手段は、前記リプロセス装置毎の取得方式に関する情報を予め記憶した取得方式テーブルを参照して、取得方式の判定を行うことが好ましい。
【０００９】
前記履歴取得手段が取得した前記各リプロセス装置の前記処理履歴を、統一した記録フォーマットに変換する記録フォーマット変換手段を備えることが好ましい。記録フォーマットを統一することで、各リプロセス装置の処理履歴を一つの履歴テーブル等で一括して管理することができる。
【００１０】
前記取得方式には、前記リプロセス装置のＩＤ情報を記憶するアクティブ型の第２ＲＦＩＤタグを有するリプロセス装置から、前記第２ＲＦＩＤタグ及び前記タグリーダを通じて前記処理履歴を取得する、第１取得方式が含まれることが好ましい。これにより、リプロセス装置に大幅な改造を加えることなく、このリプロセス装置から処理履歴を取得することができる。
【００１１】
前記第１取得方式では、前記リプロセス装置の処理槽に給排液される液体の給排液状態が前記第２ＲＦＩＤタグに記録され、前記タグリーダが前記給排液状態を読み取ることにより、前記リプロセス装置の処理履歴が取得されることが好ましい。
【００１２】
前記取得方式には、前記第１ＲＦＩＤタグと前記タグリーダとの通信により、前記処理履歴を取得する第２取得方式が含まれることが好ましい。これにより、リプロセス装置に全く改造を加えることなく、このリプロセス装置から処理履歴を取得することができる。
【００１３】
前記第２取得方式では、前記第１ＲＦＩＤタグと前記タグリーダとの通信を監視し、前記処理槽内で前記第１ＲＦＩＤタグが前記液体に浸漬されたときに前記タグリーダとの通信が不能になることを利用して、前記液体の給排液状態を検知することにより、前記処理履歴が取得されることが好ましい。
【００１４】
前記取得方式には、前記タグリーダを経由せずに、前記リプロセス装置と通信を行って、前記リプロセス装置が記録した前記処理履歴を取得する第３取得方式が含まれることが好ましい。
【発明の効果】
【００１５】
本発明の内視鏡リプロセス装置の履歴管理システムは、内視鏡の第１ＲＦＩＤタグからＩＤ情報を読み取るタグリーダの読取結果に基づいて内視鏡の位置を検出し、この位置検出結果に基づいて内視鏡が投入されたと特定されたリプロセス装置から処理履歴を取得する取得方式を判定し、判定した取得方式でリプロセス装置から処理履歴を取得して管理するようにしたので、機種が異なる複数のリプロセス装置が混在している場合でも、各リプロセス装置の処理履歴を低コストで一括して管理することができる。また、処理履歴の出力機能がないリプロセス装置でも、大幅な改造または全く改造を加えることなく、処理履歴の取得及び管理を行うことができる。
【発明を実施するための最良の形態】
【００１６】
図１に示す洗浄システム（リプロセス装置の履歴管理システム）９は、大別して、管理サーバ１０と、内視鏡１１と通信を行うためのタグリーダ１２ａ〜１２ｃと、内視鏡１１を洗浄する洗浄装置（リプロセス装置）１３ａ〜１３ｃとから構成されている。なお、本実施形態では洗浄装置が３台の例で説明しているが２台以上であれば何台でもよい。
【００１７】
洗浄システム９（管理サーバ１０）は、各タグリーダ１２ａ〜１２ｃを通じて各洗浄装置１３ａ〜１３ｃの中から、内視鏡１１が投入された洗浄装置を特定し、特定した洗浄装置に対応する洗浄履歴の取得方式を判定し、判定した取得方式に基づき洗浄履歴を取得することで、各洗浄装置１３ａ〜１３ｃの洗浄履歴を管理する。洗浄履歴は、例えば洗浄処理の日付、開始時刻及び終了時刻、洗浄処理が施された内視鏡１１の内視鏡ＩＤ、洗浄処理を行った洗浄装置の装置ＩＤからなる。
【００１８】
タグリーダ１２ａ〜１２ｃは、例えば洗浄室に設置されており、各洗浄装置１３ａ〜１３ｃは、各タグリーダ１２ａ〜１２ｃの通信可能範囲内に設置されている。タグリーダ１２ａ〜１２ｃは、それぞれ管理サーバ１０にＬＡＮ１４を介して接続されている。タグリーダ１２ａ〜１２ｃは、一定周期でＩＤの送信要求（以下、ＩＤリクエストという）を発信し、このＩＤリクエストに応じて内視鏡１１から発信される内視鏡ＩＤ、及び洗浄装置１３ａから発信される装置ＩＤを受信する。
【００１９】
内視鏡１１には、内視鏡タグ１６（第１ＲＦＩＤタグ）が設けられている。内視鏡タグ１６は、アクティブ型のＲＦＩＤタグ（アクティブタグ）である。アクティブタグは、パッシブタグとは異なり、図示しない電池から供給される電力で動作するため、内視鏡タグ１６は各タグリーダ１２ａ〜１２ｃと約数十ｍの距離（パッシブタグは数十ｃｍ程度）で通信が可能である。この内視鏡タグ１６には、アンテナ１６ａと、内視鏡ＩＤを記憶したメモリ１６ｂとが設けられている（図２〜図４参照）。内視鏡タグ１６は、内視鏡ＩＤを重畳した電波をアンテナ１６ａから発信する。
【００２０】
図２〜図４に示すように、洗浄装置１３ａ〜１３ｃは、それぞれ機種が異なっており、図中の機種Ａ〜Ｃはそれぞれの機種名である。なお、機種の種類数は特に限定はされない。機種Ａ及びＢは自己の洗浄履歴情報（以下、個別洗浄履歴情報という）を記録する機能を有しておらず、機種Ｃは個別洗浄履歴情報の記録機能を有している。個別洗浄履歴情報には、洗浄処理の日付、開始時刻、及び終了時刻が含まれる。なお、内視鏡ＩＤについてはタグリーダ１２ａ〜１２ｃを通じて取得されるため、本実施形態では、個別洗浄履歴情報には含まれないものとする。
【００２１】
各洗浄装置１３ａ〜１３ｃは、機種に関わらず、装置本体１７の上部に設けられた洗浄槽１８、電源スイッチやスタートスイッチなどが設けられた操作パネル１９を備えている。なお、図１中に記載のＮｏ００１〜Ｎｏ００３は、各洗浄装置１３ａ〜１３ｃの装置ＩＤである。
【００２２】
検査で使用された内視鏡は、洗浄槽１８にセットされて洗浄処理が施される。洗浄処理は、大別して洗浄、消毒、すすぎの各工程に分かれている。各工程ではそれぞれ洗浄液、消毒液、水といった洗浄処理液１８ａ（図７参照）が洗浄槽１８に給液される。これらの洗浄処理液１８ａは、洗浄槽１８内に給液されるだけでなく、図示しない給液ポートを介して内視鏡１１のチャンネル内にも供給される。
【００２３】
洗浄装置１３ａの上部には、装置タグ２０（第２ＲＦＩＤタグ）が設けられている。装置タグ２０は、内視鏡タグ１６と同様にアクティブタグであり、アンテナ２０ａと、装置ＩＤを記憶したメモリ２０ｂとを有し、各タグリーダ１２ａ〜１２ｃからのＩＤリクエストに応じて、装置ＩＤを重畳した電波をアンテナ２０ａから発信する。また、装置タグ２０は、洗浄装置１３ａの各部を制御するＣＰＵ２１を介して洗浄槽１８内の水位検知センサ２２と接続されている。これにより、水位検知センサ２２による見地結果が装置タグ２０に出力（記録）される。
【００２４】
水位検知センサ２２は、洗浄槽１８内の水位が洗浄処理を実行可能な水位Ｌ（図７参照）に達したか否かを検知する。そして、水位検知センサ２２は、水位Ｌに達していないときはＯＦＦしており、水位Ｌに達したことを検知したときにＯＮし、水位検知信号をＣＰＵ２１を介して装置タグ２０に出力する。装置タグ２０は、水位検知センサ２２より水位検知信号が入力されている場合には、装置ＩＤと共に水位検知信号を重畳した電波をアンテナ２０ａから発信する。
【００２５】
洗浄装置１３ｂは、図示は省略するが、洗浄装置１３ａと同様に洗浄層１８の水位を検知する水位検知センサ（図示せず）は標準装備しているものの、装置タグ２０に相当するものは設けられていない。従って、洗浄装置１３ｂからは水位検知信号は発信されない。
【００２６】
洗浄装置１３ｃは、ＬＡＮ１４に接続されたＬＡＮインターフェース２３を備えており、管理サーバ１０にＬＡＮ接続されている。洗浄装置１３ｃのＣＰＵ２１は、ストレージ２４から読み出したプログラムに基づいて、個別履歴記録部２５、個別履歴出力部２６として機能する。なお、洗浄装置１３ｃと管理サーバ１０とを接続する通信インターフェースは、特に限定はされず、各種通信インターフェースを用いることができる。
【００２７】
個別履歴記録部２５は、図示しない時計回路を有しており、洗浄装置１３ｃによる洗浄処理の個別洗浄履歴情報（洗浄処理の日付、開始時刻、及び終了時刻）を記録する。日付については、上述の時計回路等から取得するなど、適宜の方法で取得することができる。また、開始時刻及び終了時刻については、例えば、ＣＰＵ２１による洗浄装置１３ｃの各部の制御状況を監視することで取得することができる。個別履歴記録部２５により取得された個別洗浄履歴情報は、ストレージ２４の個別履歴テーブル２８に記録される。
【００２８】
個別履歴テーブル２８には、個別洗浄履歴情報を表す個別履歴レコード２８ａが記録される。個別履歴レコード２８ａには、個別履歴記録部２５により取得された日付、開始時刻、及び終了時刻を記録するフィールドが設けられている。各フィールドには、個別履歴記録部２５から出力された日付、開始時刻、及び終了時刻が順次記録される。
【００２９】
個別履歴出力部２６は、管理サーバ１０よりＬＡＮ１４を介して洗浄履歴情報の配信要求（以下、履歴リクエストという）を受信し、それに応答して、個別履歴テーブル２８内の最新の個別履歴レコード２８ａに記録されている個別洗浄履歴情報を、ＬＡＮ１４を介して管理サーバ１０に出力する。なお、個別履歴出力部２６は、個別洗浄履歴情報を出力する際に、前回までの履歴リクエストに応じて既に出力された情報については出力を行わず、前回の履歴リクエスト以降に新たに個別履歴レコード２８ａの各フィールドに記録された情報のみを管理サーバ１０に出力する。
【００３０】
図１に戻って、各タグリーダ１２ａ〜１２ｃには、アンテナ２９ａと、検出回路２９ｂとが設けられている（タグリーダ１２ａ，１２ｂでは図示を省略）。検出回路２９ｂは、アンテナ２９ａで受信された各タグ１６，２０からの電波の強度を検出する。検出回路２９ｂは、検出結果を管理サーバ１０に出力する。電波強度は、例えば、アンテナ２９ａで受信した電波信号を検波し、この検波信号を整流し、さらにこの整流信号を積分して得られた直流電圧より求めることができる。なお、電波強度の検出方法は、これに限定されるものではなく、周知の各種方法を用いることができる。
【００３１】
電波強度の検出を行う際に、内視鏡タグ１６及び装置タグ２０からそれぞれ発信される電波を区別する方法としては、例えば、アンチコリジョン機能を備えるタグリーダ１２ａ〜１２ｃ、各タグ１６，２０を用いる方法がある。また、例えば、各タグ１６，２０のそれぞれから発信される電波の周波数を異ならせておき、周波数別に電波強度の検出を行うようにしてもよい。
【００３２】
図５に示すように、管理サーバ１０には、コンソール３０と、ＣＰＵ３１と、ストレージ３２と、ＬＡＮ１４に接続するためのＬＡＮポート３３とが設けられており、これらはデータバス３４を介して互いに接続されている。コンソール３０は、入力機器やモニタなどから構成されている。入力機器は、例えば、マウスやキーボードなどといった周知の入力デバイスである。
【００３３】
ＣＰＵ３１は、ストレージ３２または図示しないメモリなどから読み出した各種プログラムを逐次実行することで、管理サーバ１０の各部を統括的に制御する。ストレージ２７には、内視鏡１１が投入された洗浄装置の特定に用いられるデータや、各洗浄装置１３ａ〜１３ｃから洗浄履歴情報を取得する取得方式の判定に用いられるデータを記憶したマスターデータ領域と、各洗浄装置１３ａ〜１３ｃから取得した洗浄履歴情報の記録・管理等に用いられるトランザクションデータ領域とが設けられている。
【００３４】
ＣＰＵ３１は、上述のプログラムを実行することにより、リーダ制御部３５、位置検出部（位置検出手段）３６、洗浄装置特定部（リプロセス装置特定手段）３７、取得方式判定部（取得方式判定手段）３８、履歴取得部（履歴取得手段）３９、履歴記録部（記録フォーマット変換手段）４０として機能する。
【００３５】
リーダ制御部３５は、各タグリーダ１２ａ〜１２ｃによる各種情報の送受信を制御する。リーダ制御部３５は、各タグリーダ１２ａ〜１２ｃより一定周期でＩＤリクエストを発信させる。これにより、各タグリーダ１２ａ〜１２ｃの通信範囲内にある全てのタグ１６，２０のＩＤが各タグリーダ１２ａ〜１２ｃで取得されるとともに、このＩＤ取得時に各タグ１６，２０からの電波の強度が、検出回路２９ｂで検出されて管理サーバ１０の位置検出部３６に入力される。
【００３６】
位置検出部３６は、内視鏡１１、及び装置タグ２０を備える洗浄装置１３ａ（機種Ａ）の位置を検出する。両者の位置検出は、各タグリーダ１２ａ〜１２ｃの検出回路２９ｂで検出された各タグ１６，２０からの電波の強度の検出結果に基づき行われる。
【００３７】
位置検出部３６は、各タグ１６，２０からの電波強度の検出結果に基づき、個々のタグリーダ１２ａ〜１２ｃと、内視鏡１１及び洗浄装置１３ａのそれぞれとの距離を演算する。これら各間の距離は、例えば、各間の距離と電波強度との関係を予め求めておくことで、電波強度の検出結果より求められる。そして、位置検出部３６は、求めた各間の距離と、既知の各タグリーダ１２ａ〜１２ｃとの位置に基づき、例えば３点測量や位置補正を行って内視鏡１１及び洗浄装置１３ａの位置を検出する。なお、３点測量等で位置を検出する方法は、周知であるので説明は省略する。また、設置するリーダライタの数は３点測量には３つで十分であるが、位置検出の精度をあげるため４つ以上であってもよい。
【００３８】
タグリーダ１２ａ〜１２ｃからは一定周期でＩＤリクエストが発信されるため、位置検出部３６による内視鏡１１及び洗浄装置１３ａの位置検出も一定周期毎に行われる。これらの位置検出結果は、洗浄装置特定部３７に検出の度に出力される。洗浄装置１３ａは、内視鏡１１と異なり、所定の位置に設置・固定されているため移動することはない。従って、位置検出部３６は、洗浄装置１３ａの位置検出結果をストレージ３２等に記憶しておき、これ以降に検出回路２９ｂから入力された洗浄装置１３ａからの電波強度の検出結果は破棄する。これにより、位置検出部３６（ＣＰＵ３１）による位置検出処理に掛かる負荷を減らすことができる。
【００３９】
洗浄装置特定部３７は、内視鏡１１と洗浄装置１３ａの位置検出結果、及びストレージ３２のマスターデータ領域に格納されている位置情報記憶テーブル４２に基づいて、内視鏡１１が投入された洗浄装置を特定する。位置情報記憶テーブル４２には、洗浄装置１３ｂ，１３ｃの位置情報がそれぞれ対応する装置ＩＤに関連付けて予め記憶されている。洗浄装置特定部３７は、内視鏡１１の位置が各洗浄装置１３ａ〜１３ｃのいずれかの位置とほぼ一致するか否かに基づいて、内視鏡１１の洗浄装置への投入を検知するとともに、内視鏡１１が投入された洗浄装置の特定を行う。内視鏡１１と、各洗浄装置１３ａ〜１３ｃの位置とが一致するか否かの判定は、例えば、洗浄装置からその半径Ｘｃｍ以内に内視鏡１１が存在するか否かを調べることにより行われる。ここで、半径Ｘｃｍは、例えば、隣接する洗浄装置と干渉しない大きさに設定されている。以下、図６を用いて洗浄装置の特定処理の一例について説明を行う。
【００４０】
各タグリーダ１２ａ〜１２ｃからは一定周期でＩＤリクエストが発信されるため、このＩＤリクエストに応じて各タグ１６，２０から発信される電波が各タグリーダ１２ａ〜１２ｃで一定周期ごとに受信される。これにより、上述したように位置検出部３６による内視鏡１１及び洗浄装置１３ａの位置検出が行われる。なお、洗浄装置１３ａの位置検出結果は、ストレージ３２等に記録される。
【００４１】
内視鏡１１が洗浄装置１３ａ（機種Ａ）に投入された場合には、位置検出部３６により検出された内視鏡１１の位置と、洗浄装置１３ａの位置とがほぼ一致する。これにより、内視鏡１１が洗浄装置１３ａに投入されたと特定することができる。
【００４２】
また、内視鏡１１が洗浄装置１３ｂに投入された場合には、位置検出部３６により検出された内視鏡１１の位置と、位置情報記憶テーブル４２に記憶されている洗浄装置１３ｂの位置とがほぼ一致するため、内視鏡１１が洗浄装置１３ｂに投入されたと特定することができる。同様にして、内視鏡１１が洗浄装置１３ｃに投入された場合も、内視鏡１１が洗浄装置１３ｃに投入されたと特定することができる。
【００４３】
内視鏡１１が各洗浄装置１３ａ〜１３ｂのいずれにも投入されていない場合には、内視鏡１１の位置と各洗浄装置１３ａ〜１３ｃの位置とが異なるため、洗浄装置特定部３７は、内視鏡１１が洗浄装置に投入されていないと判定する。以下、各タグリーダ１２ａ〜１２ｃから一定周期で発信されるＩＤリクエストに応じて、内視鏡１１の位置検出が一定周期毎に行われ、上述の処理が繰り返して実行される。なお、洗浄装置１３ａの位置検出結果については、既にストレージ３２等に記録されているため、洗浄装置１３ａの位置検出処理は１回だけ行われたら、次回以降には行われない。
【００４４】
図５に戻って、洗浄装置特定部３７による特定結果は、取得方式判定部３８に入力される。取得方式判定部３８は、ストレージ３２のマスターデータ領域に格納されている取得方式テーブル４４を参照して、洗浄装置特定部３７により特定された洗浄装置から洗浄履歴情報を取得する取得方式を判定する。取得方式テーブル４４には、洗浄装置１３ａ〜１３ｃ（機種）ごとに予め定められている取得方式Ａ１〜Ｃ１が、それぞれ対応する装置ＩＤに関連付けて記憶されている。履歴取得部３９は、取得方式判定部３８で判定された取得方式に従って、洗浄装置から洗浄履歴情報を取得する。
【００４５】
取得方式Ａ１は、水位検知センサ２２による水位検知信号の出力機能を有する洗浄装置１３ａ（機種Ａ）に対応した取得方式であり、装置タグ２０及び各タグリーダ１２ａ〜１２ｃを通じて洗浄履歴情報の取得を行うものである。取得方式Ｂ１は、水位検知信号の出力機能を有さない洗浄装置１３ｂ（機種Ｂ）に対応した取得方式であり、内視鏡タグ１６と各タグリーダ１２ａ〜１２ｃとの通信状態に基づいて洗浄履歴情報の取得を行うものである。取得方式Ｃ１は、個別洗浄履歴情報の記録機能を有する洗浄装置１３ｃ（機種Ｃ）に対応した取得方式であり、各タグリーダ１２ａ〜１２ｃを経由せずに、ＬＡＮ１４を通じて洗浄履歴情報の取得を行うものである。
【００４６】
最初に、図７及び図８を用いて、履歴取得部３９が取得方式Ａ１で洗浄装置１３ａの洗浄履歴情報を取得する処理について説明を行う。なお、洗浄処理の日付については、例えばＣＰＵ３１の時計回路（図示せず）から取得するなど、適宜の方法で取得される。また、内視鏡ＩＤ及び装置ＩＤについては、リーダ制御部３５を制御して、各タグリーダ１２ａ〜１２ｃで受信されるＩＤの中から特定された取得元のみのＩＤが取得される。
【００４７】
取得方式Ａ１では、洗浄処理の開始及び終了時刻を洗浄装置１３ａから発信される水位検知信号に基づいて取得する。上述したように、各タグリーダ１２ａ〜１２ｃから発信されるＩＤリクエストに応じて、内視鏡タグ１６及び洗浄装置１３ａの装置タグ２０から発信される電波（ＩＤ）が各タグリーダ１２ａ〜１２ｃで受信される。
【００４８】
内視鏡１１が洗浄装置１３ａに投入され、洗浄装置１３ａで洗浄処理が開始されると、洗浄処理の最初の工程で使用される洗浄処理液１８ａが洗浄槽１８内に給液される。洗浄槽１８内の水位が上述の水位Ｌに達すると、水位検知センサ２２より最初の水位検知信号が装置タグ２０に出力される（図８参照）。この水位検知信号は、上述したように、装置タグ２０から各タグリーダ１２ａ〜１２ｃに電波で発信され、各タグリーダ１２ａ〜１２ｃからＬＡＮ経由で管理サーバ１０に入力される。
【００４９】
管理サーバ１０に最初の水位検知信号が入力されると、洗浄装置１３ａで洗浄処理が開始されたと判断することができる。従って、履歴取得部３９は、洗浄装置１３ａから最初に水位検知信号を受信した時間、つまり、洗浄槽１８の水位が水位Ｌに最初に達した時間を洗浄処理の開始時刻として取得する。
【００５０】
洗浄処理の終了時刻は、図５に示すタイマ回路４５によって、洗浄槽１８から洗浄処理液１８ａを排液後、次の給液が行われるまでの時間を測定することにより、取得する。洗浄処理の各工程が順に実行されると、洗浄処理液１８ａの給排液が繰り返し行われる。これにより、水位検知センサ２２からの水位検知信号の出力がＯＮ・ＯＦＦされるため、洗浄装置１３ａから管理サーバ１０への水位検知信号の入力・入力停止が繰り返される。
【００５１】
１回の洗浄処理が終了すると、別の内視鏡１１が洗浄装置１３ａにセットされて、次の洗浄処理が開始されるまで洗浄処理液１８ａの給液は行われない。このため、洗浄処理が終了すると、管理サーバ１０に水位検知信号が入力されなくなる。従って、履歴取得部３９は、洗浄装置１３ａにおいて洗浄処理が開始されたら、ＣＰＵ３１のタイマ回路４５を作動させて、洗浄装置１３ａから管理サーバ１０への水位検知信号の入力停止時間を測定する。
【００５２】
タイマ回路４５による測定時間が予め定められた一定時間を超えた時に、履歴取得部３９は、洗浄装置１３ａによる洗浄処理が終了したと判断して、洗浄処理の終了時刻を取得する。この一定時間は、洗浄処理の各工程の間で行われる給排水工程よりも長く設定されている。終了時刻は、洗浄処理が終了したと判断した時間から上述の一定時間を引いた時間である。なお、洗浄処理の各工程に洗浄処理液１８ａを用いない乾燥工程が含まれている場合には、例えば温度センサ等を用いて乾燥工程が実行されているか否かを判別して、乾燥工程が実行されている間はタイマ回路４５による測定を停止させてもよい。このように取得方式Ａ１では、前述の日付、両ＩＤに加えて、水位検知センサ２２で洗浄槽１８内の洗浄処理１８ａの給排液状態を検知することで、洗浄処理の開始及び終了時刻を取得する。これにより、洗浄装置１３ａの全ての洗浄履歴情報が取得される。
【００５３】
次に、図９及び図１０（Ａ），（Ｂ）を用いて、履歴取得部３９が取得方式Ｂ１で洗浄装置１３ｂの洗浄履歴情報を取得する処理について説明を行う。なお、洗浄処理の日付及び内視鏡ＩＤについては、上述の取得方式Ａ１で説明した方法で取得される。また、装置ＩＤについては、位置情報記憶テーブル４２や取得方式テーブル４４に記憶されているＩＤから取得することができる。
【００５４】
取得方式Ｂ１では、洗浄処理の開始及び終了時刻を、洗浄装置１３ｂにセットされた内視鏡１１（内視鏡タグ１６）と、各タグリーダ１２ａ〜１２ｃとの通信状態に基づいて取得する。洗浄装置１３ｂに内視鏡１１が投入された時に、各タグリーダ１２ａ〜１２ｃからのＩＤリクエストに応じて内視鏡タグ１６から発信される電波は、各タグリーダ１２ａ〜１２ｃでそれぞれ受信される（図１０（Ａ）参照）。次いで、洗浄処理が開始されて、少なくとも洗浄槽１８内の水位が水位Ｌに達した時には、内視鏡１１は洗浄処理液１８ａ中に完全に浸漬する。
【００５５】
内視鏡１１及び内視鏡タグ１６が洗浄処理液１８ａ中に完全に浸漬すると、液中では各タグリーダ１２ａ〜１２ｃから発信されるＩＤリクエストが内視鏡タグ１６に伝わらないため、内視鏡タグ１６と各タグリーダ１２ａ〜１２ｃとの通信が遮断される（図１０（Ｂ）参照）。従って、内視鏡タグ１６との通信が遮断されるか否かで、内視鏡１１が洗浄処理液１８ａ中に浸漬している否かを検出することができる。
【００５６】
この際に、上述の水位Ｌと、内視鏡１１が洗浄処理液１８ａ中に完全に浸漬する水位とはほぼ同じであるため、取得方式Ｂ１では、タグリーダ１２ａ〜１２ｃと内視鏡タグ１６との通信が遮断されるか否かに基づいて、洗浄槽１８内の水位が水位Ｌに達したか否かを判断する。つまり、取得方式Ｂ１では、内視鏡タグ１６が水位検知センサ２２及び装置タグ２０の代わりとして用いられる。
【００５７】
履歴取得部３９は、内視鏡タグ１６と各タグリーダ１２ａ〜１２ｃとの通信が遮断されたら、洗浄処理が開始されたと判断して開始時刻を取得する。そして、洗浄処理の各工程が順に実行されると、洗浄処理液１８ａの給排液が繰り返し行われるため、内視鏡１１（内視鏡タグ１６）からの電波（内視鏡ＩＤ）の発信がＯＮ・ＯＦＦされる。
【００５８】
１回の洗浄処理が終了すると、次の洗浄処理が開始されるまで洗浄処理液１８ａの給液は行われないため、両者の通信は継続する。従って、履歴取得部３９は、洗浄処理の開始時刻を取得したら、タイマ回路４５により両者の通信時間を測定し、この通信時間が予め定められた一定時間を超えた時に、洗浄処理が終了したと判断して終了時刻を取得する。これにより、洗浄装置１３ｂの全ての洗浄履歴情報が取得される。
【００５９】
次に、図１１を用いて、履歴取得部３９が取得方式Ｃ１で洗浄装置１３ｃの洗浄履歴情報を取得する取得処理について説明を行う。なお、内視鏡ＩＤ及び装置ＩＤについては、上述の取得方式Ａ１，Ｂ１で説明した方法で取得される。
【００６０】
取得方式Ｃ１では、洗浄処理の日付、開始時刻、及び終了時刻を洗浄装置１３ｃから直接取得する。上述したように、洗浄装置１３ｃは、履歴リクエストに応じて、個別洗浄履歴情報（日付、開始時刻、及び終了時刻）を、管理サーバ１０に出力する。従って、履歴取得部３９は、洗浄装置１３ｃからの洗浄履歴情報の取得方式が取得方式Ｃ１であると判定されたら、ＬＡＮ１４を介して、履歴リクエストを洗浄装置１３ｃに対して一定周期で配信する。
【００６１】
履歴リクエストには、洗浄装置１３ｃの装置ＩＤを表すデータが含まれている。洗浄装置１３ｃの個別履歴出力部２６（図４参照）は、ＬＡＮ１４を介して受信した履歴リクエストに含まれる装置ＩＤと、洗浄装置１３ｃの装置ＩＤとが一致したら、個別洗浄履歴情報の出力を行う。これにより、履歴取得部３９は、前述の両ＩＤに加えて、洗浄処理の日付、開始時刻、及び終了時刻を取得することで、洗浄装置１３ｃの全ての洗浄履歴情報を取得することができる。なお、履歴取得部３９は、洗浄処理の終了時刻を取得したら、履歴リクエストの配信を停止する。
【００６２】
図５に戻って、各取得方式Ａ１〜Ｃ１でそれぞれ各洗浄装置１３ａ〜１３ｃから取得された洗浄履歴情報は、その取得順に履歴記録部４０に順次出力される。履歴記録部４０は、各洗浄装置１３ａ〜１３ｃから取得された洗浄履歴情報を、ストレージ３２のトランザクションデータ領域に格納されている洗浄履歴テーブル４７に統一した記録フォーマットで記録する。
【００６３】
洗浄履歴テーブル４７には、洗浄履歴情報を表す洗浄履歴レコード４７ａが記録される。洗浄履歴レコード４７ａは、履歴取得部３９から履歴記録部４０に出力された装置ＩＤに対応付けて作成されている。洗浄履歴レコード４７ａには、日付、開始及び終了時刻、内視鏡ＩＤを記録するフィールドが設けられている。各フィールドには、履歴取得部３９から出力された日付、開始及び終了時刻、内視鏡ＩＤが順次記録される。履歴記録部４０は、取得した洗浄履歴情報を洗浄履歴レコード４７ａの記録フォーマット（各フィールドの形式や格納形式）に変換して、記録する。これにより、異なる取得方式Ａ１〜Ｃ１で取得された各洗浄装置１３ａ〜１３ｃの洗浄履歴情報が、統一した記録フォーマットで洗浄履歴テーブル４７に記録される。
【００６４】
次に、図１２を用いて洗浄システム９の作用について説明を行う。内視鏡１１が各洗浄装置のいずれかに投入されると、上述の図６で説明したように、内視鏡１１の洗浄装置への投入検知と、内視鏡１１が投入された洗浄装置の特定とが行われる。
【００６５】
管理サーバ１０の取得方式判定部３８は、内視鏡１１が投入された洗浄装置が洗浄装置１３ａ（機種Ａ）であると特定された場合には、取得方式テーブル４４を参照して、取得方式Ａ１を洗浄履歴情報の取得方式として判定する。この判定結果は、履歴取得部３９に出力される。履歴取得部３９は、上述の図７で説明したように、取得方式Ａ１で洗浄装置１３ａから洗浄履歴情報を取得して、取得した洗浄履歴情報を履歴記録部４０に出力する。
【００６６】
また、取得方式判定部３８は、内視鏡１１が投入された洗浄装置が洗浄装置１３ｂ（機種Ｂ）であると特定された場合には、取得方式Ｂ１を洗浄履歴情報の取得方式として判定する。履歴取得部３９は、上述の図９で説明したように、取得方式Ｂ１で洗浄装置１３ｂから洗浄履歴情報を取得して、取得した洗浄履歴情報を履歴記録部４０に出力する。
【００６７】
また、取得方式判定部３８は、内視鏡１１が投入された洗浄装置が洗浄装置１３ｃ（機種Ｃ）であると特定された場合には、取得方式Ｃ１を洗浄履歴情報の取得方式として判定する。履歴取得部３９は、上述の図１１で説明したように、取得方式Ｃ１で洗浄装置１３ｃから洗浄履歴情報を取得して、取得した洗浄履歴情報を履歴記録部４０に出力する。
【００６８】
履歴記録部４０は、履歴取得部３９から入力された洗浄装置の装置ＩＤに対応する洗浄履歴レコード４７ａを洗浄履歴テーブル４７に作成し、この洗浄履歴レコード４７ａの各フィールドに履歴取得部３９から入力された日付、開始及び終了時刻、内視鏡ＩＤを記録する。これにより、異なる取得方式Ａ１〜Ｃ１で取得された各洗浄装置１３ａ〜１３ｃの洗浄履歴情報が、統一した記録フォーマットで洗浄履歴テーブル４７に記録される。従って、機種がそれぞれ異なる洗浄装置１３ａ〜１３ｃの洗浄履歴を洗浄履歴テーブル４７で一括して管理することができる。
【００６９】
以上のように本発明の洗浄システム９では、異なる位置に３つのタグリーダ１２ａ〜１２ｃを配置し、内視鏡１１が投入された洗浄装置を特定するとともに、特定した洗浄装置から洗浄履歴を取得する取得方式を判定して、判定した取得方式で洗浄装置の洗浄履歴を取得するため、機種が異なる複数の洗浄装置が混在している場合でも、各洗浄装置の洗浄履歴を一括して低コストに管理することができる。
【００７０】
また、本発明では、洗浄履歴の出力機能を有していない洗浄装置であったとしても、大幅な改造を加えることなく、洗浄処理の開始時刻及び終了時刻を含む詳細な洗浄履歴を取得することができる。例えば、洗浄装置に標準装備されている水位検知センサを利用する場合には、装置タグを追加して、水位検知センサから水位検知信号が装置タグに出力されるように改造する（機種Ａ参照）。また、標準装備の水位検知センサを利用しない場合には、装置タグと、装置タグへの水位検知信号の出力機能を有する水位検知センサを洗浄槽に取り付ける。いずれの場合でも、ＬＡＮを用いる通信Ｉ／Ｆや履歴出力プログラムを洗浄装置に設ける場合と比較して、小改造で済ませることができる。
【００７１】
さらに、本発明では、少なくとも内視鏡に内視鏡タグを設けて、内視鏡タグと各タグリーダとの通信状態を監視することで、洗浄履歴の出力機能を有していない洗浄装置に対して全く改造を加えることなく、詳細な洗浄履歴を取得することができる（機種Ｂ参照）。その結果、システムをより簡易且つ安価に構成することができる。
【００７２】
なお、上記実施形態の洗浄装置１３ｃ（機種Ｃ）として、履歴リクエストに応じて個別洗浄履歴情報を管理サーバ１０に出力する履歴出力方式を採る装置を例に挙げて説明を行ったが、本発明はこれに限定されるものではなく、他の履歴出力方式を採る装置であってもよい。例えば、洗浄装置１３ｃとして、その個別履歴記録部２５が個別洗浄履歴情報を記録すると同時に、個別履歴出力部２６が記録された個別洗浄履歴情報を、履歴リクエストを待たずに自動的に管理サーバ１０に出力する履歴出力方式を採る装置を用いてもよい。また、異なる履歴出力方式を採る複数の洗浄装置が、管理サーバ１０にＬＡＮ接続されていてもよい。
【００７３】
また、上記実施形態では、洗浄装置１３ｃの個別履歴記録部２５により取得される個別洗浄履歴情報に内視鏡ＩＤが含まれていない場合を例に挙げて説明を行ったが、本発明はこれに限定されるものではない。例えば、洗浄装置１３ｃの装置本体１７にタグリーダ（以下、装置タグリーダという）を設け、装置タグリーダを通じて洗浄装置１３ｃにセットされた内視鏡１１の内視鏡ＩＤを取得して、個別履歴テーブル２８に記録させるようにしてもよい。具体的には、洗浄装置１３ｃに内視鏡１１がセットされると、この内視鏡１１が装置タグリーダからの距離が最も近くなる。このため、洗浄装置１３ｃにセットされた内視鏡１１から装置タグリーダが受信する電波の受信強度が最も高くなるので、洗浄装置１３ｃにセットされた内視鏡１１を特定して、その内視鏡ＩＤを個別履歴テーブル２８に記録することができる。
【００７４】
なお、上記実施形態では、各タグ１６，２０から発信される電波の強度に基づいて、各タグリーダ１２ａ〜１２ｃと、内視鏡１１及び洗浄装置１３ａとの距離を演算して、内視鏡１１等の位置を検出するようにしているが、本発明はこれに限定されるものではない。例えば、各タグ１６，２０からから発信される電波が各タグリーダ１２ａ〜１２ｃに到達する到達時間に基づいて、各間の距離を演算して内視鏡等の位置を検出するようにしてもよい。電波の到達時間は、例えば、ＩＤリクエストが発信されてから、各タグ１６，２０からから発信される電波が各タグリーダ１２ａ〜１２ｃで受信されるまでの時間を計測することで求められる。
【００７５】
また、上記実施形態では、洗浄槽１８内の洗浄処理液１８ａの給排液を検知する給排液検知手段として、洗浄槽１８内の水位を検知する水位検知センサを用いた場合を例に挙げて説明を行ったが、本発明はこれに限定されるものではない。例えば、給排液用のバルブ（弁）の開閉を検知することで、洗浄処理液１８ａの給排液を検知するようにしてもよい。
【００７６】
なお、上記実施形態では、洗浄装置１３ｃの個別履歴出力部２６が、履歴リクエストに応じて、最新の個別履歴レコード２８ａに記録されている個別洗浄履歴情報（日付、開始時刻、終了時刻）を順次に管理サーバ１０に出力する場合を例に挙げて説明を行ったが、本発明はこれに限定されるものではない。例えば、個別履歴出力部２６は、個別履歴レコード２８ａの全てのフィールドに個別洗浄履歴情報が記録されるまでは、履歴リクエストを受信しても個別洗浄履歴情報の出力は行わず、全てのフィールドに個別洗浄履歴情報が記録された後で履歴リクエストを受信した時に、個別洗浄履歴情報の各情報を一括して出力するようにしてもよい。
【００７７】
また、上記実施形態では、内視鏡に洗浄、消毒、すすぎを施す洗浄装置を例に挙げて説明を行ったが、本発明は、リプロセス処理として洗浄、消毒、滅菌の少なくともいずれか一つを行うリプロセス装置にも適用可能である。
【図面の簡単な説明】
【００７８】
【図１】本発明の洗浄システムの構成を概略的に示す説明図である。
【図２】洗浄装置（機種Ａ）の構成を概略的に示すブロック図である。
【図３】洗浄装置（機種Ｂ）の構成を概略的に示すブロック図である。
【図４】洗浄装置（機種Ｃ）の構成を概略的に示すブロック図である。
【図５】管理サーバの構成を概略的に示すブロック図である。
【図６】内視鏡が投入された洗浄装置を特定する処理を説明するためのフローチャートである。
【図７】取得方式Ａ１に従った洗浄装置（機種Ａ）の洗浄履歴の取得処理を説明するためのフローチャートである。
【図８】洗浄槽内の水位が洗浄処理の行われる水位Ｌに達したことが、水位検知センサにより検知されることを説明するための説明図である。
【図９】取得方式Ｂ１に従った洗浄装置（機種Ｂ）の洗浄履歴の取得処理を説明するためのフローチャートである。
【図１０】（Ａ）は洗浄槽内に洗浄処理液がなく内視鏡タグと各タグリーダとの通信が可能な状態、（Ｂ）は内視鏡タグが洗浄処理液中に浸漬されて内視鏡タグと各タグリーダとの通信が遮断された状態を説明するための説明図である。
【図１１】取得方式Ｃ１に従った洗浄装置（機種Ｃ）の洗浄履歴の取得処理を説明するためのフローチャートである。
【図１２】洗浄システムにおける洗浄履歴の取得処理を説明するためのフローチャートである。
【符号の説明】
【００７９】
９  洗浄システム
１０  管理サーバ
１１  内視鏡
１２ａ〜１２ｃ  タグリーダ
１３ａ〜１３ｃ  洗浄装置（機種Ａ〜Ｃ）
１６  内視鏡タグ
２０  装置タグ
２２  水位検知センサ
３６  位置検出部
３７  洗浄装置特定部
３８  取得方式判定部
３９  履歴取得部
４０  履歴記録部
４２  位置情報記憶テーブル
４４  取得方式テーブル
４７  洗浄履歴テーブル
【図１】
0005058763.tif 000002
【図２】
0005058763.tif 000003
【図３】
0005058763.tif 000004
【図４】
0005058763.tif 000005
【図５】
0005058763.tif 000006
【図６】
0005058763.tif 000007
【図７】
0005058763.tif 000008
【図８】
0005058763.tif 000009
【図９】
0005058763.tif 000010
【図１０】
0005058763.tif 000011
【図１１】
0005058763.tif 000012
【図１２】
0005058763.tif 000013